(57)【要約】【課題】配管構造における配管内の滞留物が排出口から飛散することを抑制できる配管構造、及び配管構造における滞留物の除去方法を提供すること。【解決手段】本発明の配管構造２は、液体Ｗ２が流入する流入口２２を有する第１配管２０と、第１配管２０に対して屈曲して延び、この延びる方向の下流側の端部に、液体Ｗ３が排出される第１排出口３３を有する第２配管３０と、第２配管３０に設けられ、第２配管３０の流路の開閉を行う開閉弁３２と、第２配管３０における開閉弁３２と第１排出口３３との間に設けられ、重力方向の下方に開口する第２排出口３４と、を備える。【選択図】図２
2010236305.tif 000002
【特許請求の範囲】
【請求項１】
液体が流入する流入口を有する第１配管と、
前記第１配管に対して屈曲して延び、この延びる方向の下流側の端部に、液体が排出される第１排出口を有する第２配管と、
前記第２配管に設けられ、該第２配管の流路の開閉を行う開閉弁と、
前記第２配管における前記開閉弁と前記第１排出口との間に設けられ、重力方向の下方に開口する第２排出口と、
を備える配管構造。
【請求項２】
請求項１に記載の配管構造における第１配管及び／又は第２配管の流路に存在する滞留物を除去する、配管構造における滞留物の除去方法であって、
前記開閉弁が開いた状態における前記第２配管に挿通可能な棒状部を有する除去部材を用い、前記除去部材を前記第１排出口から挿入し、前記除去部材により滞留物を突く滞留物突き工程と、
前記滞留物突き工程の前、途中又は後に、液体を前記流入口から前記第１排出口に向けて流通させる流通工程と、
前記滞留物突き工程の後に、前記除去部材を前記第１排出口側に待避させる待避工程と、
を備える配管構造における滞留物の除去方法。
【請求項３】
前記除去部材は、前記棒状部の先端側に、前記第２配管の流路の断面と略同一の断面形状を有するストッパ部を備え、
前記待避工程において、前記ストッパ部を、前記第２配管における前記第２排出口と前記第１排出口との間の位置に配置させる
請求項２に記載の配管構造における滞留物の除去方法。
【請求項４】
前記棒状部は、前記第２配管の流路の断面と略同一の断面形状を有し、
前記ストッパ部は、前記液体が通過可能であると共に前記滞留物の全部又は大部分が通過不能であるフィルター孔を備える
請求項３に記載の配管構造における滞留物の除去方法。
【請求項５】
前記除去部材は、前記第２配管の流路よりも径方向外側に周状に延出すると共に、前記第２配管に対して該第２配管の長手方向に沿って移動自在なつば部を備える
請求項２から４のいずれかに記載の配管構造における滞留物の除去方法。
【発明の詳細な説明】
【技術分野】
【０００１】
本発明は、排水等に使用される配管構造、及び配管構造における滞留物の除去方法に関する。
【背景技術】
【０００２】
従来、排水等に使用される配管構造として、液体が流入する流入口を有する第１配管と、液体が排出される排出口を有する第２配管と、この第２配管に設けられ第２配管の流路の開閉を行う開閉弁と、を備える配管構造が一般的である。
また、第１配管の上流側に、ストレーナ（ごみや貝殻などの固形物をろ過する機器）が接続される場合もある。さらに、第１配管と第２配管との間に屈曲部を備え、開閉弁の上流側で屈曲した配管構造も多い。
【０００３】
ところで、上記のような屈曲部を有する配管構造がストレーナなどに接続される場合に、ストレーナなどから排出される固形物が、配管における屈曲部の周辺に滞留して、第１配管又は第２配管を詰まらせる状況が発生しやすい。このような場合に、配管構造を分解せずに清掃を行う技術としては、フレキシブルシャフトを排出口から挿入し、滞留した固形物（滞留物）を突いて排出されやすくする技術が知られている（例えば、特許文献１）。
【先行技術文献】
【特許文献】
【０００４】
【特許文献１】特開２００３−２３１９０６号公報
【発明の概要】
【発明が解決しようとする課題】
【０００５】
しかし、この場合も、排水口から液体と滞留物とが混在して飛び出すことには変わりはないため、滞留物が広い範囲に飛散してしまうという問題があった。飛散した滞留物は、例えば、作業者に掛かり、作業者の衣服を汚してしまうため、好ましくない。
【０００６】
従って、本発明は、配管構造における配管内の滞留物が排出口から飛散することを抑制できる配管構造、及び配管構造における滞留物の除去方法を提供することを目的とする。
【課題を解決するための手段】
【０００７】
（１）本発明の配管構造は、液体が流入する流入口を有する第１配管と、前記第１配管に対して屈曲して延び、この延びる方向の下流側の端部に、液体が排出される第１排出口を有する第２配管と、前記第２配管に設けられ、該第２配管の流路の開閉を行う開閉弁と、前記第２配管における前記開閉弁と前記第１排出口との間に設けられ、重力方向の下方に開口する第２排出口と、を備える。
【０００８】
（２）本発明の配管構造における滞留物の除去方法は、前記配管構造における第１配管及び／又は第２配管の流路に存在する滞留物を除去する、配管構造における滞留物の除去方法であって、前記開閉弁が開いた状態における前記第２配管に挿通可能な棒状部を有する除去部材を用い、前記除去部材を前記第１排出口から挿入し、前記除去部材により滞留物を突く滞留物突き工程と、前記滞留物突き工程の前、途中又は後に、液体を前記流入口から前記第１排出口に向けて流通させる流通工程と、前記滞留物突き工程の後に、前記除去部材を前記第１排出口側に待避させる待避工程と、を備える。
【０００９】
（３）本発明の配管構造における滞留物の除去方法において、前記除去部材は、前記棒状部の先端側に、前記第２配管の流路の断面と略同一の断面形状を有するストッパ部を備え、前記待避工程において、前記ストッパ部を、前記第２配管における前記第２排出口と前記第１排出口との間の位置に配置させることが好ましい。
【００１０】
（４）本発明の配管構造における滞留物の除去方法において、前記棒状部は、前記第２配管の流路の断面と略同一の断面形状を有し、前記ストッパ部は、前記液体が通過可能であると共に前記滞留物の全部又は大部分が通過不能であるフィルター孔を備えることが好ましい。
【００１１】
（５）本発明の配管構造における滞留物の除去方法において、前記除去部材は、前記第２配管の流路よりも径方向外側に周状に延出すると共に、前記第２配管に対して該第２配管の長手方向に沿って移動自在なつば部を備えることが好ましい。
【発明の効果】
【００１２】
配管構造における配管内の滞留物が排出口から飛散することを抑制できる配管構造、及び配管構造における滞留物の除去方法を提供することができる。
【図面の簡単な説明】
【００１３】
【図１】本発明の第１実施形態の配管構造を含むストレーナ接続型配管構造の斜視図である。
【図２】図１に示すストレーナ接続型配管構造の断面図である。
【図３】（ａ）は除去部材を示す斜視図で、（ｂ）は除去部材の先端側を拡大して示す部分斜視図である。
【図４】ストレーナ接続型配管構造への除去部材の挿入態様を示す断面図である。
【図５】滞留物突き工程におけるストレーナ接続型配管構造の内部の除去部材の状態を示す断面図である。
【図６】待避工程におけるストレーナ接続型配管構造の内部の除去部材の状態を示す断面図である。
【図７】除去部材の先端側における他の構成を示す斜視図である。
【発明を実施するための形態】
【００１４】
以下、本発明の配管構造の好ましい実施形態について、図面を参照しながら説明する。
図１は、本発明の第１実施形態の配管構造を含むストレーナ接続型配管構造の斜視図である。図２は、図１に示すストレーナ接続型配管構造の断面図である。
【００１５】
第１実施形態に係るストレーナ接続型配管構造１は、発電所などにおいて外部から水（海水を含む）を導入する場合に使用される設備である。
図１及び図２に示すように、このストレーナ接続型配管構造１は、ストレーナ１０と、ストレーナ１０に接続された配管構造２とを備える。
【００１６】
ストレーナ１０は、ストレーナ本体１１と、このストレーナ本体１１の下部の側面に設けられた外部水導入管１２と、ストレーナ本体１１の上部の側面に設けられた送水管１３と、付着物除去部１５と、を備える。
外部水導入管１２は、外部から水を導入する管である。
【００１７】
ストレーナ本体１１は、その内部にフィルター（図示せず）を備えており、外部水導入管１２から導入される水Ｗ０を濾過し、送水管１３から排出する。
付着物除去部１５は、ストレーナ本体１１の内部において、ストレーナ本体１１の内壁に接触しながら、平面視で公転する。付着物除去部１５は、ストレーナ本体１１の内壁に接触するブラシ１４Ａと、回転軸１４Ｃと、回転軸１４Ｃとブラシ１４Ａとを連結する連結部１４Ｂと、を備える。ブラシ１４Ａは、平面視で１８０度あけて、２個設けられる。付着物除去部１５によれば、後述するように、回転軸１４Ｃを中心に回転させるとブラシ１４Ａにより、ストレーナ本体１１の内壁に付着する付着物を除去することができる。
【００１８】
配管構造２は、流入口２２と、第１配管２０と、屈曲部３１と、第２配管３０と、開閉弁３２と、第１排出口３３と、第２排出口３４と、を備える。
流入口２２は、第１配管２０の上流側の開口であり、ストレーナ本体１１の下面に接続されている。ストレーナ１０から排出された水は、流入口２２から第１配管２０に流入する。
【００１９】
第１配管２０は、配管構造２における上流側に位置する直線状の配管である。
第２配管３０は、配管構造２における下流側に位置する直線状の配管であり、屈曲部３１を介して第１配管２０と連通している。第２配管３０は、第１配管２０に対して９０度屈曲して延びている。
屈曲部３１は、第１配管２０と第２配管３０とを屈曲させて連結する部位である。
従って、第１配管２０と第２配管３０と屈曲部３１とを主体して、屈曲した配管が構成される。
【００２０】
開閉弁３２は、第２配管３０の流路の開閉を行う弁であり、第２配管３０の途中に設けられる。本実施形態においては、開閉弁３２として、ボール弁を用いている。なお、開閉弁３２は、滞留物Ｓ０，Ｓ１（後述）の移動を妨げない構造を有するものであれば、特に制限されない。
【００２１】
第１排出口３３は、第２配管３０における下流側の端部に位置する開口であり、第２配管３０を流通した液体が排出される開口である。
第２排出口３４は、重力方向の下方に開口する開口であり、第２配管３０における開閉弁３２と第１排出口３３との間に設けられる。
また、第２排出口３４の下方には、第２排出口３４から排出された廃棄物Ｓｎを受け止める網状トレー４が配置される。
【００２２】
次に、図１及び図２を参照して、第１実施形態に係るストレーナ接続型配管構造１の作用について説明する。ここで、図１は、開閉弁３２が開いた状態を示しており、図２は、開閉弁３２が閉じた状態を示している。
【００２３】
図１及び図２に示すように、外部水導入管１２からストレーナ本体１１に導入される外部水Ｗ０は、通常、混入物Ｓ０，Ｓ１（ゴミ、貝殻など）を含んでいる。ストレーナ本体１１に導入された外部水Ｗ０は、ストレーナ本体１１の上部に設けられる送水管１３から濾過水Ｗ１として排出される。一方、例えば、外部水Ｗ０に含まれる混入物Ｓ０は、ストレーナ本体１１の内壁に付着する。また、外部水Ｗ０に含まれる混入物Ｓ１は、その自重で沈み、ストレーナ本体１１の底面や配管構造２における屈曲部３１の周辺に滞留する。
【００２４】
ストレーナ本体１１の内壁に付着した混入物Ｓ０は、ストレーナ本体１１の内部における水流を妨げる。送水管１３の下流側には水圧センサー（図示せず）が設けられており、送水管１３を流通する濾過水Ｗ１の水圧の低下を検出した場合には、ストレーナ本体１１の内壁に付着した混入物Ｓ０によって、ストレーナ本体１１の内部における水の流通性が低下している可能性が高い。そこで、濾過水Ｗ１の水圧の低下を検出した場合には、ストレーナ本体１１の内壁の清掃作業を行う。
【００２５】
ストレーナ本体１１の内壁の清掃作業では、付着物除去部１５が使用される。この付着物除去部１５の回転軸１４Ｃには、ストレーナ本体１１の外部に配置するハンドル（図示せず）が接続されている。このハンドルを回転軸１４Ｃの軸方向に回転させることによって、図２に示す矢印Ａの向きに、２個のブラシ１４Ａはストレーナ本体１１の内壁に沿って移動する。このブラシ１４Ａの移動に伴って、ストレーナ本体１１の内壁がブラシ１４Ａによって擦られ、ストレーナ本体１１の内壁に付着する混入物（貝殻など）Ｓ０などが除去され、清掃される。
【００２６】
付着物除去部１５により除去された混入物Ｓ０は、混入物Ｓ１と共に、ストレーナ本体１１の底面や、配管構造２における屈曲部３１の周辺に滞留する。滞留した混入物を以下「滞留物Ｓ０，Ｓ１」ともいう。
【００２７】
ここで、開閉弁３２を開いた状態（図１参照）とすることで、ストレーナ本体１１の内部の水Ｗ０は、流入口２２を介して第１配管２０に流入する（配管構造２の内部に位置する水を「水Ｗ２」という）。第１配管２０に流入した水Ｗ２は、屈曲部３１を介して第２配管３０に流入し、更に、開いた状態の開閉弁３２と通過し、第１排出口３３及び第２排出口３４から排出される。
【００２８】
このとき、滞留物Ｓ０，Ｓ１は、押し流され、第１排出口３３及び第２排出口３４から排出される。なお、第１排出口３３から排出される水を符号「Ｗ３」で示し、第２排出口３４から排出される水を符号「Ｗ４」で示す。水Ｗ２及び滞留物Ｓ０，Ｓ１が第１排出口３３から排出されるか、あるいは第２排出口３４から排出されるかは、水Ｗ２の流速、流量、滞留物Ｓ０，Ｓ１の大きさ、質量、第２排出口３４の大きさ等に依存する。そして、第２排出口３４から排出された滞留物Ｓ０，Ｓ１は、第２排出口３４の下方に配置された網状トレー４に廃棄物Ｓｎとして受け取られる。
【００２９】
第１実施形態の配管構造２によれば、以下の効果が奏される。
第２配管３０に第１排出口３３とは別に、下方に開口する第２排出口３４を設けているため、滞留物Ｓ０，Ｓ１の一部又は大部分が第２排出口３４から排出される。従って、第１排出口３３からは、水Ｗ３を主体として排出され、滞留物Ｓ０，Ｓ１が排出されにくい。従って、第２排出口３４を備えていない場合に比して、第１排出口３３から排出される滞留物Ｓ０，Ｓ１の量を抑制することができる。その結果、滞留物が排出口から飛散することを抑制し、例えば、飛散した滞留物が作業者に掛かり、作業者の衣服を汚してしまうことを抑制できる。
【００３０】
次に、図３から図６を参照して、第２実施形態に係るストレーナ接続型配管構造における滞留物の除去方法を説明する。
図３（ａ）は除去部材を示す斜視図で、図３（ｂ）は除去部材の先端側を拡大して示す部分斜視図である。図４は、ストレーナ接続型配管構造への除去部材の挿入態様を示す断面図である。図５は、滞留物突き工程におけるストレーナ接続型配管構造の内部の除去部材の状態を示す断面図である。図６は、待避工程におけるストレーナ接続型配管構造の内部の除去部材の状態を示す断面図である。
【００３１】
図３から図６に示すように、第２実施形態に係る滞留物の除去方法は、開閉弁３２が開いた状態における第２配管３０に挿通可能な棒状部５２を有する除去部材５０を用い、第１配管２０及び／又は第２配管３０の流路に存在する滞留物Ｓ０，Ｓ１を除去する方法である。
図３に示すように、除去部材５０は、棒状部５２と、ストッパ部５３と、つば部５６と、を備える。除去部材５０の各構成部材は、可撓性材料から形成されることが好ましい。なお、棒状部５２及びストッパ部５３は、開閉弁３２が開いた状態において、開閉弁３２を通過可能である。
【００３２】
棒状部５２は、第２配管３０の流路の断面と略同一の断面形状を有する。「第２配管３０の流路の断面と略同一の断面形状」とは、棒状部５２が第２配管３０の流路を挿通可能であると共に、棒状部５２の外周面と第２配管３０の流路の内周面との間にほとんど隙間がない（例えば隙間が５ｍｍ以下）ことを意味する。棒状部５２は、管状になっており、その内側に流路が形成される。棒状部５２の後端５５は、開放している。
【００３３】
また、ストッパ部５３は、第２配管３０の流路の断面と略同一の断面形状を有し、棒状部５２の先端５１側に設けられる。本実施形態においては、ストッパ部５３は、棒状部５２の先端５１を塞ぐ形で棒状部５２の先端５１に連結されており、ストッパ部５３の外周と棒状部５２の外周とが一体化している（面一となっている）。
【００３４】
つまり、ストッパ部５３も、棒状部５２と同様に、第２配管３０の流路の断面と略同一の断面形状を有する。ここで、「第２配管３０の流路の断面と略同一の断面形状」とは、ストッパ部５３が第２配管３０の流路を挿通可能であると共に、ストッパ部５３の外周面と第２配管３０の流路の内周面との間にほとんど隙間がない（例えば隙間が５ｍｍ以下）ことを意味する。
【００３５】
ストッパ部５３は、液体が通過可能であると共に滞留物Ｓ０，Ｓ１の全部又は大部分が通過不能であるフィルター孔５４を備える。フィルター孔５４によれば、ストッパ部５３の外側とストッパ部５３の内側（棒状部５２の内側）とを連通させることができる。フィルター孔５４の大きさ、形状などは、想定される滞留物Ｓ０，Ｓ１の大きさ、形状等に基づいて設定される。
【００３６】
つば部５６は、第２配管３０の流路よりも径方向外側に周状に延出すると共に、第２配管３０に対して第２配管３０の長手方向に沿って移動自在な部位である。従って、つば部５６が第２配管３０の第１排出口３３に突き当たった状態で、棒状部５２を第２配管３０の奥側（屈曲部３１側）に押し込んでいくと、棒状部５２を更に第２配管３０の奥側に挿入させることができる。換言すると、つば部５６は、棒状部５２に対して後方側（後端５５側）に移動する。なお、棒状部５２に対する位置が後方側（後端５５側）に一旦移動したつば部５６は、その後、棒状部５２に対する位置が前方側（先端５１側）に移動することはない。
【００３７】
次に、図４から図６を参照して、第２実施形態に係るストレーナ接続型配管構造１における滞留物の除去方法を説明する。
第２実施形態に係る滞留物の除去方法は、滞留物突き工程と、流通工程と、待避工程とを備える。
【００３８】
滞留物突き工程は、除去部材５０を第１排出口３３から挿入し、除去部材５０により滞留物Ｓ０，Ｓ１を突く工程である。
流通工程は、滞留物突き工程の前、途中又は後に、水Ｗ２を流入口２２から第１排出口３３に向けて流通させる工程である。
待避工程は、滞留物突き工程の後に、除去部材５０を第１排出口３３側に待避させる工程である。
【００３９】
以下の説明においては、図４に示すように、配管構造２における屈曲部３１の周辺において、大量の滞留物Ｓ０，Ｓ１が滞留しており、水Ｗ２が第２配管３０の流路にほとんど流通しなくなっているものとする。このような状態は、ストレーナ本体１１の内部の清掃作業で、付着物除去部１５によってストレーナ本体１１の内壁に付着している混入物（貝殻など）Ｓ０を除去した後に発生しやすい。
【００４０】
〔滞留物突き工程〕
このような滞留物Ｓ０，Ｓ１の滞留状態を解消するために、まず、図４に示すように、滞留物突き工程において、除去部材５０を、先端５１側から一点鎖線で示す矢印Ｂに従って、第１排出口３３に挿入する。ストッパ部５３及び棒状部５２は、前述の通り、第２配管３０の流路の断面と略同一の断面形状を有するため、ストッパ部５３及び棒状部５２の外周面と第２配管３０の流路の内周面とが近接した状態を保って、第２配管３０の内部を挿通される。
【００４１】
つば部５６は、第１排出口３３に突き当たった後、それ以上、屈曲部３１側に移動しない（棒状部５２に対して後端５５側に移動する）。ストッパ部５３及び棒状部５２を第２配管３０の内部に挿通させる際に、水Ｗ２がストッパ部５３に達することもがあるが、そのような水Ｗ２は、ストッパ部５３のフィルター孔５４を介して棒状部５２の内部に進入し、後端５５から排出される。あるいは、水Ｗ２は、第２排出口３４から下方に排出されることもある。
【００４２】
流通工程では、滞留物突き工程の前、途中又は後に、水Ｗ２を流入口２２から第１排出口３３に向けて流通させる。第２実施形態では、滞留物突き工程の前に、水Ｗ２を流入口２２から第１排出口３３に向けて流通させており、そのため、滞留状態の滞留物Ｓ０，Ｓ１には、大きな水圧が掛かっている。
【００４３】
図５に示すように、滞留物突き工程において、ストッパ部５３及び棒状部５２は、開いた状態となっている開閉弁３２を通過し、屈曲部３１の周辺で滞留している滞留物Ｓ０，Ｓ１に到達する。そして、例えば、除去部材５０を第２配管３０の延びる方向へ数回前後移動させ、除去部材５０（特にストッパ部５３）により滞留物Ｓ０，Ｓ１を突き崩す。これにより、滞留物Ｓ０，Ｓ１により堰き止められていた水Ｗ２の流量が多くなる。水Ｗ２の流通は、ストッパ部５３のフィルター孔５４を通して確保される。フィルター孔５４の大きさは、滞留物Ｓ０，Ｓ１の大部分を通過させない程度に十分小さく設定されているので、フィルター孔５４には水Ｗ２を主体として通過する。
【００４４】
〔待避工程〕
次に、図６に示すように、待避工程において、除去部材５０を、第１排出口３３と第２排出口３４との間の位置Ｐにストッパ部５３が配置するように待避させる。除去部材５０の待避に伴って、つば部５６も後退する。
滞留状態を崩された滞留物Ｓ０，Ｓ１は、スムーズに流通し始めた水Ｗ２の圧力によって、第２配管３０の下流側に移動する。前述の通り、第１排出口３３と第２排出口３４との間の位置Ｐにストッパ部５３が配置するため、第２配管３０の下流側（第１排出口３３側）への滞留物Ｓ０，Ｓ１の移動は、ストッパ部５３により阻害され、滞留物Ｓ０，Ｓ１の大部分は、水Ｗ２の一部と共に、第２排出口３４から下方に向けて排出される。そして、滞留物Ｓ０，Ｓ１は、第２排出口３４の下方に配置された網状トレー４に廃棄物Ｓｎとして受け取られる。また、ストッパ部５３に達した水Ｗ２は、フィルター孔５４から除去部材５０の内部に進入し、除去部材５０の後端５５から排出される。
【００４５】
この待避工程において、ストッパ部５３を第１排出口３３と第２排出口３４との間の位置Ｐに待避させた状態において、水Ｗ２は、ある程度高い水圧を有しているので、除去部材５０の外周と第２配管３０の流路との隙間を通じて、第１排出口３３から噴き出すことがある。ここで、つば部５６は、第１排出口３３から噴き出す水を遮り、除去部材５０の後端５５側（作業者が通常立っている位置）への水の飛散を抑制する。
【００４６】
第２実施形態の滞留物の除去方法によれば、例えば、以下の効果が奏される。
（１）滞留物突き工程において、屈曲部３１の周辺などに滞留している滞留物Ｓ０，Ｓ１を除去部材５０により突くことで、滞留物Ｓ０，Ｓ１の滞留状態を解消することができる。その後、待避工程において、除去部材５０を第１排出口３３側に待避させることで、滞留状態が解消された滞留物Ｓ０，Ｓ１を、第２排出口３４又は第１排出口３３から排出させることができる。
従って、滞留物Ｓ０，Ｓ１が、作業者が位置する第１排出口３３側に飛散する程度（量、範囲）を小さくすることができる。また、滞留物Ｓ０，Ｓ１が飛散する程度を小さくできるため、作業者の衣服などの汚れの発生を抑制することができる。
【００４７】
（２）また、待避工程において、ストッパ部５３を第１排出口３３と第２排出口３４との間の位置に配置させることで、滞留状態を解消された滞留物Ｓ０，Ｓ１の大部分を、重力方向の下方に開口する第２排出口３４から排出させることができ、滞留物Ｓ０，Ｓ１が飛散する程度を一層低減することができる。
【００４８】
（３）ストッパ部５３がフィルター孔５４を備えているため、滞留物Ｓ０，Ｓ１の大部分を第１排出口３３側に移動させることなく、水Ｗ２を第１排出口３３側に流通させることができる。そのため、ストッパ部５３に達した水Ｗ２によりストッパ部５３に加わる水圧を低減させることができ、従って、除去部材５０を第２配管３０の奥側に押し込むことが容易である。
【００４９】
（４）除去部材５０につば部５６を設けることで、第２配管３０の流路と除去部材５０（ストッパ部５３）との隙間を通じて第１排出口３３から噴き出す水から、作業者を保護することができる。特に、待避工程のときに、除去部材５０が誤って第２配管３０から抜けてしまった場合などにおいても、作業者を保護することが可能となる。
【００５０】
なお、上記第２実施形態では、待避工程において、ストッパ部５３が第１排出口３３と第２排出口３４との間の位置に停止させているが、ストッパ部５３を動かしていてもよい。あるいは、ストッパ部５３を第２配管３０から完全に抜いてしまってもよい。この場合、水の排出形態は、第１実施形態と同様となる。
【００５１】
また、第２実施形態では、第２配管３０の流路の断面と略同一の断面形状を有する棒状部５２を備えた除去部材５０を用いているが、これに制限されず、棒状部５２は、第２配管３０の流路の断面よりも大幅に小さい断面形状を有していてもよい。この場合には、第２配管３０は、中空状ではなく、中実状でもよい。
除去部材５０は、第２配管３０の流路の断面よりも大幅に小さい断面形状を有する棒状部５２に、第２配管３０の流路の断面と略同一の断面形状を有するストッパ部５３を備えた構成でもよい。
【００５２】
次に、除去部材の変形例について説明する。図７は、除去部材の先端側における他の構成を示す斜視図である。
変形例の除去部材５０Ａは、第２実施形態における除去部材５０に比して、主としてストッパ部の有無が異なるので、同様の構成要件に付いては同じ符号を使用し、その説明を流用する。
図７に示す変形例の除去部材５０Ａは、図３（ａ）に示す除去部材５０に比して、ストッパ部５３を備えておらず、そのため、除去部材５０の中空部がそのまま開口５７を形成している。
【００５３】
なお、本発明は、上記実施形態に限定されるものではなく、本発明の目的を達成できる範囲での変形、改良などを行うことができる。
例えば、本実施形態は、発電所において、外部からの水又は海水の導入に用いられるストレーナに接続された配管構造であるが、これに限定されず、その他の液体が流入する配管構造に適用が可能である。
第１配管２０と第２配管３０との屈曲角度は、９０度に制限されない。
流通工程では、滞留物突き工程の途中又は後に、水Ｗ２を流入口２２から第１排出口３３に向けて流通させてもよい。
【符号の説明】
【００５４】
１  ストレーナ接続型配管構造
２  配管構造
１０  ストレーナ本体
１１  ストレーナ
２０  第１配管
２２  流入口
３０  第２配管
３１  屈曲部
３２  開閉弁
３３  第１排出口
３４  第２排出口
４    網状トレー
５０  除去部材
５１  先端
５２  棒状部
５３  ストッパ部
５４  フィルター孔
５６  つば部
Ｓ０，Ｓ１  滞留物、混入物
Ｗ０，Ｗ１，Ｗ２，Ｗ３，Ｗ４  水（液体）
【図１】
2010236305.tif 000003
【図２】
2010236305.tif 000004
【図３】
2010236305.tif 000005
【図４】
2010236305.tif 000006
【図５】
2010236305.tif 000007
【図６】
2010236305.tif 000008
【図７】
2010236305.tif 000009